(57)【要約】【課題】電源がＯＦＦになっている場合であっても、ユーザが、光ディスクＤが収納されているか否かを正確に判別することができるドライブ装置及びそれを具備した情報処理装置を提供する。【解決手段】本発明に係るドライブ装置は、内部に光ディスクを収納してこの光ディスクに対して読み書きを行うドライブ装置であって、外部の光Ｌを入射する採光窓１５Ａと、入射した光Ｌを反射する反射板２７Ａと、反射された光Ｌを外部に出射する判別窓２６Ａとを備えた光学系を有し、この光学系は、光ディスクが収納された際に、採光窓１５Ａから入射した光Ｌがこの光ディスクによって遮られて前記判別窓２６Ａに到達しないように設置されたことを特徴とする。【選択図】  図２
2008299903.tif 000002
【特許請求の範囲】
【請求項１】
内部に光ディスクを収納してこの光ディスクに対して読み書きを行うドライブ装置であって、
外部の光を入射する採光窓と、この採光窓から入射した光を反射する反射板と、この反射板により反射された光を外部に出射する判別窓とを備えた光学系を有し、
前記光学系は、光ディスクが収納された際に、前記採光窓から入射した光がこの光ディスクによって遮られて前記判別窓に到達しないように設置されたことを特徴とするドライブ装置。
【請求項２】
内部に光ディスクを収納してこの光ディスクに対して読み書きを行うドライブ装置であって、
電源のＯＮ・ＯＦＦ状態に依存せずに点灯するＬＥＤと、このＬＥＤの光を入射する光ファイバと、この光ファイバから出射した光を反射する反射板と、この反射板により反射された光を外部に出射する判別窓とを備えた光学系を有し、
前記光学系は、光ディスクが収納された際に、前記光ファイバから出射した光がこの光ディスクによって遮られて前記判別窓に到達しないように設置されたことを特徴とするドライブ装置。
【請求項３】
内部に光ディスクを収納してこの光ディスクに対して読み書きを行うドライブ装置を具備した情報処理装置であって、
外部の光を入射する採光窓と、この採光窓から入射した光を反射する反射板と、この反射板により反射された光を外部に出射する判別窓とを備えた光学系を有し、
前記光学系は、光ディスクが収納された際に、前記採光窓から入射した光がこの光ディスクによって遮られて前記判別窓に到達しないように設置されたことを特徴とする情報処理装置。
【請求項４】
内部に光ディスクを収納してこの光ディスクに対して読み書きを行うドライブ装置を具備した情報処理装置あって、
電源のＯＮ・ＯＦＦ状態に依存せずに点灯するＬＥＤと、このＬＥＤの光を入射する光ファイバと、この光ファイバから出射した光を反射する反射板と、この反射板により反射された光を外部に出射する判別窓とを備えた光学系を有し、
前記光学系は、光ディスクが収納された際に、前記光ファイバから出射した光がこの光ディスクによって遮られて前記判別窓に到達しないように設置されたことを特徴とする情報処理装置。
【発明の詳細な説明】
【技術分野】
【０００１】
本発明は、内部に収納された光ディスクに対して読み書きを行うドライブ装置及びそれを具備した情報処理装置に関する。
【背景技術】
【０００２】
従来のトレー式やスロットイン式の光ディスク装置やこの光ディスク装置を備えた情報処理装置では、光ディスクが完全に装置内に隠蔽されるように収納されてしまうため、ユーザは、装置の電源を入れて、光ディスクが収納されているトレーを取り出したり光ディスクそのものを取り出したりしないと、装置内に光ディスクが収納されているか否かを判別できないという問題があった。
【０００３】
そこで、装置内に反射板を設け、フロントパネル上のこの反射板が見える位置に透視窓を設けることにより、ユーザが装置内に光ディスクが収納されているか否かを判別できる光ディスク装置が提案されている（特許文献１参照）。この光ディスク装置では、装置内に光ディスクが収納されている場合、透視窓から反射板に映った光ディスクを確認することができる。
【特許文献１】実開平２−２６１９２号公報
【発明の開示】
【発明が解決しようとする課題】
【０００４】
透視窓から反射板に映った光ディスクを確認する方法では、ユーザが装置内を覗き込まなければ光ディスクが収納されているか否かを判断することができず、また、装置の内部に充分な光が入らないため、光ディスクが収納されているか否かを正確に判別することが難しいという問題があった。
【０００５】
本発明は、上記課題を鑑みなされたもので、電源がＯＦＦになっている場合であっても、ユーザが、光ディスクＤが収納されているか否かを正確に判別することができるドライブ装置及びこのドライブ装置を具備した情報処理装置を提供することを目的とする。
【課題を解決するための手段】
【０００６】
上記課題を解決するために、本発明に係るドライブ装置は、内部に光ディスクを収納してこの光ディスクに対して読み書きを行うドライブ装置であって、外部の光を入射する採光窓と、この採光窓から入射した光を反射する反射板と、この反射板により反射された光を外部に出射する判別窓とを備えた光学系を有し、前記光学系は、光ディスクが収納された際に、前記採光窓から入射した光がこの光ディスクによって遮られて前記判別窓に到達しないように設置されたことを特徴とする。
【０００７】
また、本発明に係る情報処理装置は、内部に光ディスクを収納してこの光ディスクに対して読み書きを行うドライブ装置を具備した情報処理装置であって、外部の光を入射する採光窓と、この採光窓から入射した光を反射する反射板と、この反射板により反射された光を外部に出射する判別窓とを備えた光学系を有し、前記光学系は、光ディスクが収納された際に、前記採光窓から入射した光がこの光ディスクによって遮られて前記判別窓に到達しないように設置されたことを特徴とする。
【発明の効果】
【０００８】
本発明に係るドライブ装置及びそのドライブ装置を具備した情報処理装置によると、電源がＯＦＦになっている場合であっても、ユーザが、光ディスクＤが収納されているか否かを正確に判別することが可能である。
【発明を実施するための最良の形態】
【０００９】
本発明に係るドライブ装置及びそのドライブ装置を具備した情報処理装置の実施形態について、添付図面に基づいて説明する。
【００１０】
〔第１実施形態〕
本発明に係るドライブ装置及びそれを具備した情報処理装置の第１実施形態について、図１乃至図５に基づいて説明する。
【００１１】
図１に、第１実施形態の情報処理装置１の斜視図を示す。情報処理装置１は、内部にＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｋ）等の光ディスクＤが収納されるドライブ装置を具備した情報処理装置であって、例えば会社や家庭において一般的に用いられているＰＣ（Ｐｅｒｓｏｎａｌ  Ｃｏｍｐｕｔｅｒ）やＤＶＤ録音再生機等の情報処理装置である。第１実施形態の情報処理装置１として、ノートＰＣを例にあげて説明する。
【００１２】
情報処理装置１は、平板状の第１の筐体１０及び同じく平板状の第２の筐体１１がヒンジ部１２で接続されて構成されている。情報処理装置１は、不使用時には第２の筐体１１の上に第１の筐体１０が折り重ねられたコンパクトな状態で保管されるが、使用時には、第１の筐体を第２の筐体に対してヒンジ部１２を軸にして回転させることにより、側面視「く」の字状になるようにして使用される。
【００１３】
第１の筐体１０には、表示装置である液晶ディスプレイ１３が備えられている。第２の筐体１１には、光ディスクＤが挿入されてこの光ディスクに対して読み書きを行う光ディスクドライブ１４、光ディスクドライブ１４内に外部の自然光Ｌを導く採光窓１５、情報処理装置１の電源のＯＮ／ＯＦＦ状態を切り替える電源ボタン１６、入力装置であるキーボード１７や静電パッド１８やマウスボタン１９等が備えられている。
【００１４】
また情報処理装置１の内部には、図示しないが、この情報処理装置１の制御処理を行うＣＰＵ、ＣＰＵが処理をする際の作業領域としてデータを一時的に記憶するＲＡＭ、ＣＰＵが処理をする際に必要となる処理プログラムやデータを記憶するＲＯＭ、表示装置や入力装置を介したデータの入出力のインタフェース等が内蔵されている。
【００１５】
図２に、情報処理装置１に内蔵されている光ディスクドライブ１４の斜視図を示す。光ディスクドライブ１４は、情報処理装置１の内外にスライドして移動する平板部２０と、情報処理装置１の側面の一部として情報処理装置１において常に露出している側板部２１とから構成されている。平板部２０の一方の面には光ディスクＤが収納されるための収納凹部２２が形成されている。また平板部２０の収納凹部２２には、採光窓１５から入射した自然光Ｌが貫通する切欠け部２３が光ディスクＤの収納の妨げにならない位置に形成されている。この切欠け部２３は、光ディスクＤが収納されていない場合には自然光Ｌが平板部２０を貫通するが、光ディスクＤが収納されている場合には自然光Ｌがこの光ディスクＤにより反射されて平板部２０を貫通しないように形成されている。
【００１６】
側板部２１には、平板部２０を情報処理装置１の内外にスライドさせる開閉ボタン２４が、情報処理装置１の外表面に露出するように備えられている。この開閉ボタン２４は情報処理装置１により電気的に制御されていて、電源ＯＮ時に、ユーザがこの開閉ボタン２４を押す毎に、情報処理装置１の電源から供給される電力により、光ディスクドライブ１４が情報処理装置１の外部に突出したり情報処理装置１の内部に収納されたりする。また側面２１にはＬＥＤ２５が備えられ、情報処理装置１の電源ＯＮ時に電気的に光ディスクドライブ１４内のディスクＤが検知されると、ＬＥＤ２５が点灯する。
【００１７】
また側面２１には、情報処理装置１の内外を光が通過する判別窓２６が備えられる。この判別窓２６は、透明または半透明のプラスチックやガラス等で形成されている。光ディスクドライブ１４内には反射板２７が設置され、情報処理装置１の採光窓１５から入射した自然光Ｌは、この反射板２７に当たって反射して、判別窓２６から情報処理装置１の外部に出射する。これらの採光窓１５、反射板２７、判別窓２６により光学系が形成されている。
【００１８】
なお、光ディスクＤは、光ディスクドライブ１４内に収納される際に、採光窓２６と反射板２７との間に位置するように収納される。すなわち、光ディスクＤが光ディスクドライブ１４に収納されていない場合には、図３に示すように、採光窓１５から入射した自然光Ｌが光ディスクドライブ１４内に設置された反射板２７により反射し、この反射した自然光Ｌが、判別窓２６に入射して判別窓２６を通過し、情報処理装置１の外部に出射する。ユーザは、この判別窓２６から出射した自然光Ｌを確認することにより、光ディスクＤが光ディスクドライブ１４内に収納されていないことを認識できる。
【００１９】
また、光ディスクＤが光ディスクドライブ１４に収納されている場合には、図４に示すように、採光窓１５から入射した自然光Ｌが光ディスクＤの表面において全反射し、採光窓１５から出射する。この際には、自然光Ｌが光ディスクＤに遮断されて反射板２７まで届かず、判別窓２６から自然光Ｌが出射することはない。ユーザは、この判別窓２６から自然光Ｌが出射していないことを確認することにより、光ディスクＤが光ディスクドライブ１４内に収納されていることを認識できる。
【００２０】
このように、情報処理装置１の電源がＯＦＦになっている時にも、採光窓１５に入射する自然光Ｌを利用することにより、ユーザは光ディスクＤが光ディスクドライブ１４に収納されているか否かを判断することができる。
【００２１】
以上、ＰＣ等の情報処理装置１について説明したが、これに限らず、図５に示すようなドライブ装置２であってもよい。ドライブ装置２は、ＣＤやＤＶＤ等の光ディスクに記録されたデータの読み書きを行う装置である。
【００２２】
ドライブ装置２は、筐体１１Ａを備えている。筐体１１Ａには、光ディスクＤが挿入されてこの光ディスクに対して読み書きを行う光ディスクドライブ１４Ａ、ドライブ装置２内に外部の自然光Ｌを入射する採光窓１５Ａ、ドライブ装置２の電源のＯＮ／ＯＦＦ状態を切り替える電源ボタン１６Ａが備えられている。
【００２３】
またドライブ装置２の内部には、図示しないが、このドライブ装置２の制御処理を行うＣＰＵ、ＣＰＵが処理をする際の作業領域としてデータを一時的に記憶するＲＡＭ、ＣＰＵが処理をする際に必要となる処理プログラムやデータを記憶するＲＯＭ、挿入された光ディスクＤ内のデータを入出力するためのインタフェース等が内蔵されている。
【００２４】
第１実施形態のドライブ装置２は、光ディスクＤが挿入されてこの光ディスクに対して読み書きを行う光ディスクドライブ１４Ａを備えている。光ディスクドライブ１４Ａは情報処理装置１の光ディスク１４と同様であるので、説明を省略する。
【００２５】
なお、情報処理装置１の光ディスクドライブ１４には側板部２１に判別窓２６が設けられていたが、ドライブ装置２の光ディスクドライブ１４Ａには判別窓２６が設けられず、代わりに、筐体１１Ａに判別窓２６Ａが設けられる。この判別窓２６Ａは、透明または半透明のプラスチックやガラス等で形成されている。光ディスクドライブ１４Ａ内には反射板２７Ａが設置され、ドライブ装置２の採光窓１５Ａから入射した自然光Ｌは、この反射板２７Ａに当たって反射して、判別窓２６Ａからドライブ装置２の外部に出射する。これらの採光窓１５Ａ、反射板２７Ａ、判別窓２６Ａにより光学系が形成されている。
【００２６】
なお、光ディスクＤは、情報処理装置１の場合と同様に、光ディスクドライブ１４Ａ内に収納される際に、採光窓２６Ａと反射板２７Ａとの間に位置するように収納される。すなわち、情報処理装置１の場合と同様に、光ディスクＤが光ディスクドライブ１４Ａに収納されていない場合には、図３に示すように、採光窓１５Ａから入射した自然光Ｌが光ディスクドライブ１４Ａ内に設置された反射板２７Ａにより反射し、この反射した自然光Ｌが、判別窓２６Ａに入射して判別窓２６Ａを通過し、ドライブ装置２の外部に出射する。ユーザは、この判別窓２６Ａから出射した自然光Ｌを確認することにより、光ディスクＤが光ディスクドライブ１４Ａ内に収納されていないことを認識できる。
【００２７】
また、光ディスクＤが光ディスクドライブ１４Ａに収納されている場合には、図４に示すように、採光窓１５Ａから入射した自然光Ｌが光ディスクＤの表面において全反射し、採光窓１５Ａから出射する。この際には、自然光Ｌが光ディスクＤに遮断されて反射板２７Ａまで届かず、判別窓２６Ａから自然光Ｌが出射することはない。ユーザは、この判別窓２６Ａから自然光Ｌが出射していないことを確認することにより、光ディスクＤが光ディスクドライブ１４Ａ内に収納されていることを認識できる。
【００２８】
このように、ドライブ装置２の電源がＯＦＦになっている時にも、採光窓１５Ａに入射する自然光Ｌを利用することにより、ユーザは光ディスクＤが光ディスクドライブ１４Ａに収納されているか否かを判断することができる。
【００２９】
なお、第１実施形態の情報処理装置１及びドライブ装置２として、装置の上部に採光窓１５、１５Ａを、装置の側部に判別窓２６、２６Ａを、それぞれ一つずつ備えたものについて説明したが、これに限定されず、採光窓１５、１５Ａ、判別窓２６、２６Ａの数や位置を自由に設定して良い。この際、光ディスクＤを収納していない状態において、採光窓１５、１５Ａから入射した自然光Ｌが判別窓２６、２６Ａから出射するように反射板２７、２７Ａの数や位置が設定されるとともに、光ディスクＤを収納している状態において、この自然光Ｌが光ディスクＤによって遮られるように設定される。
【００３０】
従来の情報処理装置やドライブ装置では、ユーザが、光ディスクＤが情報処理装置１やドライブ装置の内部に収納されているか否かを判別する際には、光ディスクドライブ１４、１４Ａ等に備えられたＬＥＤ２５が点灯しているか否かにより判別していた。しかしながら、ＬＥＤ２５は、情報処理装置１の電源がＯＮになっていて光ディスクドライブ１４、１４Ａに電力が供給されている場合にのみ点灯するため、情報処理装置１やドライブ装置２の電源がＯＦＦになっている時にユーザが光ディスクＤが収納されているか否かを判断するためには、情報処理装置１やドライブ装置２の電源ボタン１６、１６Ａを押して電源をＯＮにする必要があった。
【００３１】
第１実施形態の情報処理装置１及びドライブ装置２では、電源がＯＦＦになっている時にも、採光窓１５、１５Ａから光ディスクドライブ１４、１４Ａの内部に自然光Ｌを導くことにより、ユーザが、光ディスクＤが光ディスクドライブ１４、１４Ａに収納されているか否かを正確に判別することが可能になっている。
【００３２】
また、第１実施形態の情報処理装置１及びドライブ装置２では、光ディスクＤが収納されているか否かを判別するための電気的な回路を設ける必要がなくなり、製造コストや消費電力を少なくおさえることが可能となる。
【００３３】
〔第２実施形態〕
本発明に係るドライブ装置及びそれを具備した情報処理装置の第２実施形態について、図６乃至図１０に基づいて説明する。
【００３４】
図６は、本発明に係る情報処理装置の第２実施形態を示す斜視図である。第２実施形態の情報処理装置１Ｂは、第１実施形態の情報処理装置１において、採光窓１５の代わりにＬＥＤ３０及び光ファイバ３１を備えたものである。以下、第１実施形態と同様の構成には同様の符号を付し、重複する説明を省略する。
【００３５】
図６に、第２実施形態の情報処理装置１Ｂの斜視図を示す。情報処理装置１は、内部にＣＤやＤＶＤ等の光ディスクＤが収納される情報処理装置であって、例えば会社や家庭において一般的に用いられているＰＣやＤＶＤ録音再生機等の情報処理装置である。第２実施形態の情報処理装置１Ｂとして、第１実施形態の場合と同様に、ノートＰＣを例にあげて説明する。
【００３６】
情報処理装置１Ｂは、平板状の第１の筐体１０及び同じく平板状の第２の筐体１１がヒンジ部１２で接続されて構成されている。第１の筐体１０には、表示装置である液晶ディスプレイ１３が備えられている。第２の筐体１１には、光ディスクＤが挿入されてこの光ディスクに対して読み書きを行う光ディスクドライブ１４Ｂ、情報処理装置１の電源のＯＮ／ＯＦＦ状態を切り替える電源ボタン１６、入力装置であるキーボード１７や静電パッド１８やマウスボタン１９、情報処理装置１Ｂが外部の電源に接続されている際に、電源がＯＮであってもＯＦＦであっても点灯するＬＥＤ３０、ＬＥＤ３０の光を光ディスクドライブ１４Ｂに導く光ファイバ３１（図示せず）等が備えられている。
【００３７】
また情報処理装置１Ｂの内部には、図示しないが、この情報処理装置１Ｂの制御処理を行うＣＰＵ、ＣＰＵが処理をする際の作業領域としてデータを一時的に記憶するＲＡＭ、ＣＰＵが処理をする際に必要となる処理プログラムやデータを記憶するＲＯＭ、表示装置や入力装置を介したデータの入出力のインタフェース等が内蔵されている。
【００３８】
図７に、情報処理装置１Ｂに内蔵されている光ディスクドライブ１４Ｂの斜視図を示す。光ディスクドライブ１４Ｂは、第１実施形態の光ディスクドライブ１４と同様に、情報処理装置１Ｂの内外にスライドして移動する平板部２０と、情報処理装置１Ｂの側面の一部として情報処理装置１Ｂにおいて常に露出している側板部２１とから構成されている。平板部２０の一方の面には光ディスクＤが収納されるための収納凹部２２が形成されている。また平板部２０の収納凹部２２には、ＬＥＤ３０から光ファイバ３１の内部を通って導かれた光Ｌ１が貫通する切欠け部２３が光ディスクＤの収納の妨げにならない位置に形成されている。この切欠け部２３は、光ディスクＤが収納されていない場合には光Ｌ１が平板部２０を貫通するが、光ディスクＤが収納されている場合には光Ｌ１がこの光ディスクＤにより反射されて平板部２０を貫通しないように形成されている。
【００３９】
側板部２１には、平板部２０を情報処理装置１Ｂの内外にスライドさせる開閉ボタン２４が、情報処理装置１Ｂの外表面に露出するように備えられている。この開閉ボタン２４は情報処理装置１Ｂにより電気的に制御されていて、電源ＯＮ時に、ユーザがこの開閉ボタン２４を押す毎に、情報処理装置１Ｂの電源から供給される電力により、光ディスクドライブ１４Ｂが情報処理装置１Ｂの外部に突出したり情報処理装置１Ｂの内部に収納されたりする。また側面２１にはＬＥＤ２５が備えられ、情報処理装置１Ｂの電源ＯＮ時に電気的に光ディスクドライブ１４Ｂ内のディスクＤが検知されると、ＬＥＤ２５が点灯する。
【００４０】
また側面２１には、情報処理装置１Ｂの内外を光が通過する判別窓２６が備えられる。この判別窓２６は、透明または半透明のプラスチックやガラス等で形成されている。光ディスクドライブ１４Ｂ内には反射板２７が設置され、情報処理装置１ＢのＬＥＤ３０から光ファイバ３１の内部を通って導かれた光Ｌ１は、この反射板２７に当たって反射して、判別窓２６から情報処理装置１Ｂの外部に出射する。これらのＬＥＤ３０、光ファイバ３１、反射板２７、判別窓２６により光学系が形成されている。
【００４１】
なお、光ディスクＤは、光ディスクドライブ１４Ｂ内に収納される際に、ＬＥＤ３０及び光ファイバ３１と反射板２７との間に位置するように収納される。すなわち、光ディスクＤが光ディスクドライブ１４Ｂに収納されていない場合には、図８に示すように、ＬＥＤ３０から光ファイバ３１の内部を通って導かれた光Ｌ１が光ディスクドライブ１４Ｂ内に設置された反射板２７により反射し、この反射した光Ｌ１が、判別窓２６に入射して判別窓２６を通過し、情報処理装置１Ｂの外部に出射する。ユーザは、この判別窓２６から出射した光Ｌ１を確認することにより、光ディスクＤが光ディスクドライブ１４Ｂ内に収納されていないことを認識できる。
【００４２】
また、光ディスクＤが光ディスクドライブ１４Ｂに収納されている場合には、図９に示すように、情報処理装置１ＢのＬＥＤ３０から光ファイバ３１の内部を通って導かれた光Ｌ１が光ディスクＤの表面において全反射する。この際には、光Ｌ１が光ディスクＤに遮断されて反射板２７まで届かず、判別窓２６から光Ｌ１が出射することはない。ユーザは、この判別窓２６から光Ｌ１が出射していないことを確認することにより、光ディスクＤが光ディスクドライブ１４Ｂ内に収納されていることを認識できる。
【００４３】
このように、情報処理装置１の電源がＯＦＦになっている時にも、外部の電源に接続されている際に点灯するＬＥＤ３０の光Ｌ１を利用することにより、ユーザは光ディスクＤが光ディスクドライブ１４Ｂに収納されているか否かを判断することができる。
【００４４】
以上、ＰＣ等の情報処理装置１Ｂについて説明したが、これに限らず、図１０に示すようなドライブ装置２Ｂであってもよい。ドライブ装置２Ｂは、ＣＤやＤＶＤ等の光ディスクに記録されたデータの読み書きを行う装置である。
【００４５】
ドライブ装置２Ｂは、筐体１１Ｂを備えている。筐体１１Ｂには、光ディスクＤが挿入されてこの光ディスクに対して読み書きを行う光ディスクドライブ１４Ｃ、ドライブ装置２Ｂの電源のＯＮ／ＯＦＦ状態を切り替える電源ボタン１６Ｂ、ドライブ装置２Ｂが外部の電源に接続されている際には電源がＯＮであってもＯＦＦであっても点灯するＬＥＤ３０Ｂ、ＬＥＤ３０Ｂの光Ｌ１を光ディスクドライブ１４Ｃに導く光ファイバ３１Ｂ（図示せず）が備えられている。
【００４６】
またドライブ装置２Ｂの内部には、図示しないが、このドライブ装置２Ｂの制御処理を行うＣＰＵ、ＣＰＵが処理をする際の作業領域としてデータを一時的に記憶するＲＡＭ、ＣＰＵが処理をする際に必要となる処理プログラムやデータを記憶するＲＯＭ、挿入された光ディスクＤ内のデータを入出力するためのインタフェース等が内蔵されている。
【００４７】
第２実施形態のドライブ装置２Ｂは、光ディスクＤが挿入されてこの光ディスクに対して読み書きを行う光ディスクドライブ１４Ｃを備えている。光ディスクドライブ１４Ｃは情報処理装置１Ｂの光ディスク１４Ｂと同様であるので、説明を省略する。
【００４８】
なお、情報処理装置１Ｂの光ディスクドライブ１４Ｂには側板部２１に判別窓２６が設けられていたが、ドライブ装置２の光ディスクドライブ１４Ｃには判別窓２６が設けられず、代わりに、筐体１１Ｂに判別窓２６Ｂが設けられる。この判別窓２６Ｂは、透明または半透明のプラスチックやガラス等で形成されている。光ディスクドライブ１４Ｃ内には反射板２７Ｂが設置され、ドライブ装置２ＢのＬＥＤ３０Ｂから光ファイバ３１Ｂの内部を通って導かれた光Ｌ１は、この反射板２７Ｂに当たって反射して、判別窓２６Ｂからドライブ装置２Ｂの外部に出射する。これらのＬＥＤ３０Ｂ、光ファイバ３１Ｂ、反射板２７Ｂ、判別窓２６Ｂにより光学系が形成されている。
【００４９】
なお、光ディスクＤは、情報処理装置１Ｂの場合と同様に、光ディスクドライブ１４Ｃ内に収納される際に、ＬＥＤ３０Ｂ及び光ファイバ３１Ｂと反射板２７Ｂとの間に位置するように収納される。すなわち、情報処理装置１Ｂの場合と同様に、光ディスクＤが光ディスクドライブ１４Ｃに収納されていない場合には、図８に示すように、ＬＥＤ３０Ｂから光ファイバ３１Ｂの内部を通って導かれた光Ｌ１が光ディスクドライブ１４Ｃ内に設置された反射板２７Ｂにより反射し、この反射した光Ｌ１が、判別窓２６Ｂに入射して判別窓２６Ｂを通過し、ドライブ装置２Ｂの外部に出射する。ユーザは、この判別窓２６Ｂから出射した光Ｌ１を確認することにより、光ディスクＤが光ディスクドライブ１４Ｃ内に収納されていないことを認識できる。
【００５０】
また、光ディスクＤが光ディスクドライブ１４Ｃに収納されている場合には、図９に示すように、ＬＥＤ３０Ｂから光ファイバ３１Ｂの内部を通って導かれた光Ｌ１が光ディスクＤの表面において全反射する。この際には、光Ｌ１が光ディスクＤに遮断されて反射板２７Ｂまで届かず、判別窓２６Ｂから光Ｌ１が出射することはない。ユーザは、この判別窓２６Ｂから光Ｌ１が出射していないことを確認することにより、光ディスクＤが光ディスクドライブ１４Ｃ内に収納されていることを認識できる。
【００５１】
このように、ドライブ装置２Ｂの電源がＯＦＦになっている時にも、ＬＥＤ３０Ｂの光Ｌ１を利用することにより、ユーザは光ディスクＤが光ディスクドライブ１４Ｃに収納されているか否かを判断することができる。
【００５２】
第２実施形態の情報処理装置１Ｂ及びドライブ装置２Ｂでは、電源がＯＦＦになっている時にも点灯するＬＥＤ３０、３０Ｂの光Ｌ１を光ディスクドライブ１４Ｂ、１４Ｃの内部に導くことにより、ユーザが、光ディスクＤが光ディスクドライブ１４Ｂ、１４Ｃに収納されているか否かを正確に判別することを可能にしている。
【００５３】
また、第２実施形態の情報処理装置１Ｂ及びドライブ装置２Ｂでは、光ディスクＤが収納されているか否かを判別するための電気的な回路を設ける必要がなくなり、製造コストや消費電力を少なくおさえることが可能となる。
【００５４】
特に、第２実施形態の情報処理装置１Ｂ及びドライブ装置２Ｂでは、比較的暗い場所等に置かれている場合等、自然光だけでは光ディスクＤが収納されているか否か判別できない場合においても、外部の電源に接続されている場合に点灯するＬＥＤ等の光を利用して、光ディスクＤが収納されているか否かを正確に判別することが可能となる。
【図面の簡単な説明】
【００５５】
【図１】本発明に係る情報処理装置の第１実施形態を示す斜視図。
【図２】第１実施形態の情報処理装置及びドライブ装置の光ディスクドライブの第１実施形態を示す斜視図。
【図３】第１実施形態のドライブ装置及び情報処理装置における作用を説明するための図。
【図４】第１実施形態のドライブ装置及び情報処理装置における作用を説明するための図。
【図５】本発明に係るドライブ装置の第１実施形態を示す斜視図。
【図６】本発明に係る情報処理装置の第２実施形態を示す斜視図。
【図７】第２実施形態の情報処理装置及びドライブ装置の光ディスクドライブの第１実施形態を示す斜視図。
【図８】第２実施形態のドライブ装置及び情報処理装置における作用を説明するための図。
【図９】第２実施形態のドライブ装置及び情報処理装置における作用を説明するための図。
【図１０】本発明に係るドライブ装置の第２実施形態を示す斜視図。
【符号の説明】
【００５６】
１、１Ｂ  情報処理装置
２、２Ｂ  ドライブ装置
１０  第１の筐体
１１  第２の筐体
１１Ａ  筐体
１２  ヒンジ部
１３  液晶ディスプレイ
１４、１４Ａ乃至１４Ｃ  光ディスクドライブ
１５、１５Ａ  採光窓
１６、１６Ａ、１６Ｂ  電源ボタン
１７  キーボード
１８  静電パッド
１９  マウスボタン
２０  平板部
２１  側板部
２２  収納凹部
２３  切欠け部
２４  開閉ボタン
２５  ＬＥＤ
２６、２６Ａ、２６Ｂ  判別窓
２７、２７Ａ、２７Ｂ  反射板
３０、３０Ｂ  ＬＥＤ
３１、３１Ｂ  光ファイバ
Ｄ  光ディスク
Ｌ  自然光
Ｌ１  光
【図１】
2008299903.tif 000003
【図２】
2008299903.tif 000004
【図３】
2008299903.tif 000005
【図４】
2008299903.tif 000006
【図５】
2008299903.tif 000007
【図６】
2008299903.tif 000008
【図７】
2008299903.tif 000009
【図８】
2008299903.tif 000010
【図９】
2008299903.tif 000011
【図１０】
2008299903.tif 000012